(57)【要約】【課題】弁本体に摺動自在に嵌挿されたスプールの一端部にデテント部材を設けることにより、弁全体を小型化にすることが可能であり、長期使用しても安定した係止保持力が維持される安価な電磁切換弁のデテント機構を提供する。【解決手段】弁本体２３に螺着したプラグ２６の内部に形成された段付凹部１１の大径にワッシャ１３、１４を嵌挿すると共に、該ワッシャ１３，１４をスプール２５のスプールピン１７の外径部に摺動自在に嵌挿する。ワッシャ１３、１４の間には例えば、略Ｕ字形状のばね片１５が挟持され、該ばね片１５がスプールピン１７に形成された溝１８ａまたは１８ｂに係合して、コイル部４５ａ，４５ｂの切り換えによるスプール２５の切り換え位置を保持する。【選択図】図１
2011226543.tif 000002
【特許請求の範囲】
【請求項１】
スプールを摺動自在に嵌挿した弁本体と、
前記弁本体のスプール孔に摺動自在に嵌挿され該弁本体内の流路を切り換えるスプールと、
前記弁本体に締結されたソレノイドガイド部材と、
前記ソレノイドガイド部材に嵌挿され直列に配設されたコイル部材と、
前記コイル部材を前記ソレノイドガイド部材に固定するナット部材と、
前記ソレノイドガイド部材に摺動自在に嵌挿されたプランジャと、
前記弁本体の端部に螺着し前記スプール孔を閉塞するプラグ部材と、
を備え、
前記スプール及び前記プランジャを一体的に締結した電磁切換弁において、
前記プラグ部材の内部に形成された段付凹部の大径に嵌着される共に前記スプールのスプールピンの外径部に摺動自在に嵌挿され並列に設けられたワッシャ部材と、
前記ワッシャ部材間に挟持された略Ｕ字形状のばね片と、
前記プラグ部材の段付凹部に嵌装され前記ワッシャ部材を前記プラグ部材に押圧する
ばね部材と、
を有し、
前記コイル部材の切り換えにより前記スプールピンに形成された溝が前記ばね片に係合し、コイル部の切り換えによる前記スプールの位置を保持することを特徴とする電磁切換弁のデテント機構。
【請求項２】
請求項１記載の電磁切換弁のデテント機構において、
前記プラグ部材の半径方向に穿設された孔と、
前記孔に装着され前記スプールピンに形成された溝に係合するボールと、
前記孔に装着され一端が前記ボールに係合し、他端が前記プラグ部材に螺着するナット部材に係合するばね部材と、
を、備えることを特徴とする電磁切換弁のデテント機。
【発明の詳細な説明】
【技術分野】
【０００１】
本発明は、電磁切換弁において切換後にソレノイドを消磁した後に、スプールの戻りを防止して所定位置に固定する電磁切換弁のデテント機構に関する。
【背景技術】
【０００２】
従来、復帰用スプリングを有しない２位置切換弁においては、ソレノイドの消磁後にスプールの移動を防止する機構、すなわちデテント機構が必要とされる。
このデテント機構として従来は、図４及び図５に示すように、短筒状の本体７６と、該本体７６より突設されて弾性的に拡縮可能な鈎部７７とを備えた止鈎環７５がゴムや合成などの弾性体によって一体成形され、スプール７２の両端部には外周面にそれぞれ環状溝７３ａ，７３ｂが凹設されたスプールピン７４，７４を設け、このスプールピン７４，７４の外周に鈎部７７を外嵌させて本体７６が弁本体７１内の両端部へ緊密に嵌着する状態で二体の止鈎環７５，７５を対向状に装着した保持型電磁切換弁である（例えば、特許文献１参照。）。
【先行技術文献】
【特許文献】
【０００３】
【特許文献１】実公昭４９−１１４６０号公報
【発明の概要】
【発明が解決しようとする課題】
【０００４】
しかしながら、特許文献１に示す電磁切換弁のデテント機構は、弁ボディ７１に摺動自在に嵌挿されたスプール７２の両端部に環状溝７３ａ，７３ｂが凹設されたスプールピン７４，７４をそれぞれ設け、各スプールピン７４，７４の環状溝７３ａ，７３ｂに嵌合係止する二個の本体７６，７６の両端部に設けた止鈎環７５，７５によるデテント部材を必要とするので、弁全体が軸方向へ長くなって大型化する。
また、このデテント部材を構成する止鈎環７５は短筒状の本体７６がゴムまたは合成樹脂による弾性体で形成され、かつ鈎部７７の環状内周面がスプールピン７４の外周面に形成されており、スプールピン７４の移動によっては鈎部７７が拡径または縮径状態に付勢される際に、摺動抵抗が大きくなり、これらの要因によっては弁の切換速度を低下させたり長期間の使用で鈎部７７が摩耗して係止保持力が低下する恐れがある。
【０００５】
本発明は、前記の従来の課題を解決するためになされたもので、弁本体の一側にソレノイドを２個直列に取り付けた２位置電磁切換弁において、前記弁本体に摺動自在に嵌挿されたスプールの一端部にデテント部材を設けることにより、弁全体を小型化にすることが可能であり、長期使用しても安定した係止保持力が維持される安価な電磁切換弁のデテント機構を提供することを目的とするものである。
【課題を解決するための手段】
【０００６】
前記の課題を解決するため本発明の請求項１記載の発明は、スプールを摺動自在に嵌挿した弁本体と、
前記弁本体のスプール孔に摺動自在に嵌挿され該弁本体内の流路を切り換えるスプールと、
前記弁本体に締結されたソレノイドガイド部材と、
前記ソレノイドガイド部材に嵌挿され直列に配設されたコイル部材と、
前記コイル部材を前記ソレノイドガイド部材に固定するナット部材と、
前記ソレノイドガイド部材に摺動自在に嵌挿されたプランジャと、
前記弁本体の端部に螺着し前記スプール孔を閉塞するプラグ部材と、
を備え、
前記スプール及び前記プランジャを一体的に締結した電磁切換弁において、
前記プラグ部材の内部に形成された段付凹部の大径に嵌着される共に前記スプールのスプールピンの外径部に摺動自在に嵌挿され並列に設けられたワッシャ部材と、
前記ワッシャ部材間に挟持された略Ｕ字形状のばね片と、
前記プラグ部材の段付凹部に嵌装され前記ワッシャ部材を前記プラグ部材に押圧するばね部材と、
を有し、
前記コイル部材の切り換えにより前記スプールピンに形成された溝が前記ばね片に係合し、コイル部材の切り換えによる前記スプールの位置を保持することを特徴とする。
【０００７】
本発明の請求項２記載の発明は、
前記プラグ部材の半径方向に穿設された孔と、
前記孔に装着され前記スプールピンに形成された溝に係合するボールと、
前記孔に装着され一端が前記ボールに係合し、他端が前記プラグ部材に螺着するナット部材に係合するばね部材と、
を、備えることを特徴とする。
【発明の効果】
【０００８】
本発明は、スプールを摺動自在に嵌挿した弁本体と，前記弁本体のスプール孔に摺動自在に嵌挿され該弁本体内の流路を切り換えるスプールと、前記弁本体に締結されたソレノイドガイド部材と、前記ソレノイドガイド部材に嵌挿され直列に配設されたコイル部材と、前記コイル部材を前記ソレノイドガイド部材に固定するナット部材と、前記ソレノイドガイド部材に摺動自在に嵌挿されたプランジャと、前記弁本体の端部に螺着し前記スプール孔を閉塞するプラグ部材と、を備え、前記スプール及び前記プランジャを一体的に締結した電磁切換弁において、前記プラグ部材の内部に形成された段付凹部の大径に嵌着される共に前記スプールのスプールピンの外径部に摺動自在に嵌挿され並列に設けられたワッシャ部材と、前記ワッシャ部材間に挟持された略Ｕ字形状のばね片と、前記プラグ部材の段付凹部に嵌装され前記ワッシャ部材を前記プラグ部材に押圧するばね部材と、を有する
ことにより、前記プラグ部材の内部にコイル部材の励磁によるスプールの変位位置を確持することができる。
【図面の簡単な説明】
【０００９】
【図１】本発明の第１の実施の形態に係る電磁切換弁のデテント機構を備えた概略構造を示す縦断面図である。
【図２】図１のＩＩ−ＩＩ線の断面図である。
【図３】本発明の第２の実施の形態に係るデテント機構の要部拡大図である。
【図４】従来の電磁切換弁のデテント機構の概略構造図である。
【図５】図４の要部拡大図である。
【発明を実施するための形態】
【００１０】
以下、本発明に係る電磁切換弁のデテント機構につき好適の実施の形態を挙げ、添付図面を参照して詳細に説明する。
図１は、本発明の実施の形態に係るデテント機構１０を有する電磁切換弁２０の概略構造を示す縦断面図である。電磁切換弁２０は基本的には弁本体２１とコイル部本体２２とから構成されている。弁本体２１はボディ２３に穿設されたスプール孔２４にスプール２５が摺動自在に嵌挿されている。ボディ２３の一側（図１で右側）にはスプール孔２４を閉塞するプラグ２６が螺着され、Ｏリングのシール部材２７によりボディ２３とプラグ（プラグ部材）２６との間を液密にシールしている。ボディ２３にはスプール孔２４に接続する圧力供給源（図示しない）に連通する圧力ポート２８、タンク（図示しない）に連通するタンクポート２９ａ，２９ｂが間隔をおいてスプール孔２４の軸方向に設けられ、これらのポート２８、２９ａ，２９ｂを挟んでスプール孔２４に連通する流路３０、３１が設けられ、該タンクポート２９ａ，２９ｂは連通路３２によって連通している。
【００１１】
弁本体２１の他側（図１で左側）には、コイル部本体２２がねじ機構（図示しない）により締結されている。コイル部本体２２は、円形状のソレノイドガイド（ソレノイドガイド部材）３３と、該ソレノイドガイド３３の外周部に嵌挿されたコイル部（コイル部材）３４と、該コイル部３４をソレノイドガイド３３に固定する際、ねじの塑性変形で緩みが防止される緩み止めナット（ナット部材）３５とから構成されている。
ソレノイドガイド３３は、一端部（図１で右端）がボディ２３にねじ結合すると共に、フランジ部３８ａが該ボディ２３に係合し、かつ内部に段付孔３８ｂを有する円筒形状のストッパ３８と、一端（図１で右端）が前記ストッパ３８の他端（図１で左端）に係合し他端（図１で左端）が後述するプラグ４０の一端（図１で右端）に結合する薄肉円筒状のチューブ３９と、一端（図１で右端）が前記チューブ３９の他端(図１の左端)に結合する厚肉円筒状のプラグ（プラグ部材）４０と、を備える。さらに、ソレノイドガイド３３のチューブ３９内には、軸心方向に滑動する大径のプランジャ４１が嵌挿され、該プランジャ４１に小径の軸部４１ａが形成され、かつプラグ４０に頭付ピン４２が摺動自在に嵌挿されている。プラグ４０と頭付ピン４２とはＯリングよりなるシール部材４３により液密にシールされている。
【００１２】
コイル部３４はソレノイドガイド３３に嵌挿されかつ軸心方向に直列に配設されたボビン４４ａ，４４ｂと、前記ボビン４４ａ，４４ｂにそれぞれ巻装されたコイル４５ａ，４５ｂと、ボビン４４ａの一側壁面（図１で左側壁面）に係合しプラグ４０に嵌挿されたコイルヨーク４６ａと、ボビン４４ｂの一側壁面（図１で右側壁面）に係合しフランジ部３８ａに嵌挿されたコイルヨーク４６ｂと、ボビン４４ａの他側壁面（図１で右側壁面）及びボビン４４ｂの他側壁面（図１で左側壁面）に挟持されチューブ３９に嵌挿されたコイルヨーク４６ｃと、ボビン４４ａ，４４ｂを嵌挿するコイルチューブ４７と、を備える。
【００１３】
コイル部３４はボビン４４ａ，４４ｂにより形成される内周孔４９がソレノイドガイド３３の外周面に嵌挿され、かつ該ボビン４４ａ，４４ｂの外周面がコイルケース４７の内周面に嵌挿され、緩み止めナット３５により該ソレノイドガイド３３と一体に締結される。
【００１４】
一方、スプール２５はプランジャ４１の軸部４１ａにピン５０を介して締結している。よって、コイル４５ａが励磁すると、スプール２５はプランジャ４１に協動して矢印Ｘ方向に移動し、コイル４５ｂが励磁するとスプール２５はプランジャ４１と共に矢印Ｙ方向に移動するようになる。スプール２５とプランジャ４１との間に装着されたばね部材５１はストッパ３８の段付孔３８ｂに内装され、一端（図１で右端）がスプール２５に設けられたボス部付リテーナ５２に嵌挿支持され、他端（図１で左端）がリテーナ５３に支持されている。
【００１５】
図１において、第１の実施の形態を示すデテント機構１０は、プラグ２６の内部に形成された段付凹部１１の小径部に装着されたバネ部材１２と、内周面がスプール２５のスプールピン１７に嵌挿され、外周面が段付凹部１１の大径部に摺動自在に嵌挿された第１及び第２のワッシャ１３，１４と、これらのワッシャ（ワッシャ部材）１３，１４の間に装着されたＵ字形のばね片１５（図２参照）と、弁本体２１とプラグ２６との間に嵌挿されワッシャ１３，１４の位置を規制するリテーナ１６と、スプール２５のスプールピン１７の外周部に形成さればね片１５に係合する溝１８ａ，１８ｂと、を備える。
さらに、前記ばね部材１２は一側（図１で右側）がプラグ２６の内部に形成された段付凹部の一側（図１で右側）により位置決めされ、かつ他側（図１で左側）がワッシャ１３に係合して位置決めされている。
【００１６】
本発明に係るデテント機構１０を設けた電磁切換弁２０は、基本的には以上のように構成されており、次に動作及び作用効果について説明する。
図１に示すように、コイル４５ａが励磁するとスプール２５はプランジャ４１に協動して矢印Ｘ方向に移動してスプールピン１７も同調して矢印Ｘ方向に移動するようになり、ばね片１５がスプールピン１７の溝１８ａから溝１８ｂに係合するので、コイル４５ａの励磁によりスプール２５の変位位置を確保することができる。
一方、コイル４５ｂが励磁するとスプール２５はプランジャ４１と共に矢印Ｙ方向に移動するようになり、ばね片１５が溝１８ａから溝１８ｂに係合するので、コイル４５ａの励磁によりスプール２５の変位位置を確保することができる。
【００１７】
図３は本発明の第２の実施の形態に係るデテント機構６０の要部拡大図で、図２中、図１と同一の構成要素については同一符号で示して詳細な説明を省略する。
このデテント機構６０は、プラグ２６の半径方向に穿設された孔６１に装着されスプールピン１７に形成された溝１８ａ，１８ｂに係合するボール６２と、孔６１に装着され一端がボール６２に係合し、他端がプラグ２６に螺着するナット部材６３に係合するばね部材６４と、を備える。
このデテント機構６０はプラグ２６の直径方向に対称して少なくとも２箇所に設けられている。
【符号の説明】
【００１８】
１０、６０  デテント機構            １１  段付凹部
１２  ばね部材                      １３、１４  ワッシャ
１５  ばね片                        １６  リテーナ
１７  スプールピン                  １８ａ，１８ｂ  溝
６１  孔                            ６２  ボール
６３  ナット部材                    ６４  ばね部材
【図１】
2011226543.tif 000003
【図２】
2011226543.tif 000004
【図３】
2011226543.tif 000005
【図４】
2011226543.tif 000006
【図５】
2011226543.tif 000007